(57)【要約】      （修正有）【課題】着用者の足の部位に対応して位置を調整でき、足の部位を刺激することができるインソールを提供する。【解決手段】インソール１は、柔軟なインソール本体１０と、インソール本体の裏面に、長手方向を横断する方向に設けられた平行な複数の第１の凸部１０’と、土踏まずを刺激する柔軟な土踏まず用刺激部材２０と、この土踏まず用刺激部材の上面に、長手方向を横断する方向に設けられた平行な複数の第２の凸部１１’とを備える。第１の凸部は、インソール本体の裏面全体に亘って設けられ、第２の凸部は、土踏まず用刺激部材の上面全体に亘って設けられ、着用者の土踏まずの位置に対応して、第１の凸部間に形成される凹部Ｘに第２の凸部を挿入して、土踏まず用刺激部材をインソール本体に係止させる。【選択図】図２
0003197772.tif 000002
【実用新案登録請求の範囲】
【請求項１】
柔軟なインソール本体と、
このインソール本体の裏面であって、前記インソール本体の長手方向を横断する方向に設けられた平行な複数の第１の凸部と、
土踏まずを刺激する柔軟な土踏まず用刺激部材と、
この土踏まず用刺激部材の上面であって、前記土踏まず用刺激部材の長手方向を横断する方向に設けられた平行な複数の第２の凸部とを備え、
前記第１の凸部は、前記インソール本体の裏面全体に亘って設けられ、
前記第２の凸部は、前記土踏まず用刺激部材の上面全体に亘って設けられ、
着用者の土踏まずの位置に対応して、隣接する前記第１の凸部と前記第１の凸部との間の凹部に前記第２の凸部を挿入して、前記土踏まず用刺激部材を前記インソール本体に係止させる
ことを特徴とするインソール。
【請求項２】
柔軟なインソール本体と、
このインソール本体の裏面であって、前記インソール本体の長手方向を横断する方向に設けられた平行な複数の第１の凸部と、
土踏まずを刺激する柔軟な土踏まず用刺激部材と、
この土踏まず用刺激部材の上面であって、前記土踏まず用刺激部材の長手方向を横断する方向に設けられた平行な複数の第２の凸部とを備え、
前記第１の凸部は、土踏まずの部位に相当する前記インソール本体の裏面に設けられ、
前記第２の凸部は、前記土踏まず用刺激部材の上面全体に亘って設けられ、
着用者の土踏まずの位置に対応して、隣接する前記第１の凸部と前記第１の凸部との間の凹部に前記第２の凸部を挿入して、前記土踏まず用刺激部材を前記インソール本体に係止させる
ことを特徴とするインソール。
【請求項３】
インソール本体及び土踏まず用刺激部材が粘着ポリウレタンで形成され、
前記インソール本体の足が当接する面にフィルムが付着している
ことを特徴とする請求項１又は請求項２記載のインソール。
【請求項４】
柔軟なインソール本体と、
このインソール本体の裏面であって、前記インソール本体の長手方向を横断する方向に設けられた平行な複数の第１の凸部と、
中足骨を刺激する柔軟な中足骨用刺激部材と、
この中足骨用刺激部材の上面であって、前記中足骨用刺激部材の長手方向を横断する方向に設けられた平行な複数の第２の中足骨用凸部とを備え、
前記第１の凸部は、前記インソール本体の裏面全体に亘って設けられ、
前記第２の中足骨用凸部は、前記中足骨用刺激部材の上面全体に亘って設けられ、
着用者の中足骨の位置に対応して、隣接する前記第１の凸部と前記第１の凸部との間の凹部に前記第２の中足骨用凸部を挿入して、前記中足骨用刺激部材を前記インソール本体に係止させる
ことを特徴とするインソール。
【請求項５】
柔軟なインソール本体と、
このインソール本体の裏面であって、前記インソール本体の長手方向を横断する方向に設けられた平行な複数の第１の凸部と、
中足骨を刺激する凸形状の柔軟な中足骨用刺激部材と、
この中足骨用刺激部材の上面であって、前記中足骨用刺激部材の長手方向を横断する方向に設けられた平行な複数の第２の中足骨用凸部とを備え、
前記第１の凸部は、中足骨の部位に相当する前記インソール本体の裏面に設けられ、
前記第２の中足骨用凸部は、前記中足骨用刺激部材の上面全体に亘って設けられ、
着用者の中足骨の位置に対応して、隣接する前記第１の凸部と前記第１の凸部との間の凹部に前記第２の中足骨用凸部を挿入して、前記中足骨用刺激部材を前記インソール本体に係止させる
ことを特徴とするインソール。
【請求項６】
インソール本体及び中足骨用刺激部材が粘着ポリウレタンで形成され、
前記インソール本体の足が当接する面にフィルムが付着している
ことを特徴とする請求項４又は請求項５記載のインソール。
【考案の詳細な説明】
【技術分野】
【０００１】
本考案は、インソールに係り、特に、着用者の足の部位に対応して、該足の部位を刺激することができるようにして、使用勝手を向上させたインソールに関する。
【背景技術】
【０００２】
従来、インソールに足の土踏まず、中足骨を刺激する部材が設けられている。
【考案の概要】
【考案が解決しようとする課題】
【０００３】
しかしながら、上記インソールの土踏まず用刺激部材、中足骨用刺激部材にあっては、固定化されているため、着用者の足の部位に対応しておらず、使用勝手が良好でないという問題点があった。
【０００４】
本考案は、上記の問題点を考慮してなされたインソールを提供することを目的とする。
【課題を解決するための手段】
【０００５】
請求項１記載のインソールは、柔軟なインソール本体と、このインソール本体の裏面であって、前記インソール本体の長手方向を横断する方向に設けられた平行な複数の第１の凸部と、土踏まずを刺激する柔軟な土踏まず用刺激部材と、この土踏まず用刺激部材の上面であって、前記土踏まず用刺激部材の長手方向を横断する方向に設けられた平行な複数の第２の凸部とを備え、前記第１の凸部は、前記インソール本体の裏面全体に亘って設けられ、前記第２の凸部は、前記土踏まず用刺激部材の上面全体に亘って設けられ、着用者の土踏まずの位置に対応して、隣接する前記第１の凸部と前記第１の凸部との間の凹部に前記第２の凸部を挿入して、前記土踏まず用刺激部材を前記インソール本体に係止させるものである。
【０００６】
また、請求項２記載のインソールは、柔軟なインソール本体と、このインソール本体の裏面であって、前記インソール本体の長手方向を横断する方向に設けられた平行な複数の第１の凸部と、土踏まずを刺激する柔軟な土踏まず用刺激部材と、この土踏まず用刺激部材の上面であって、前記土踏まず用刺激部材の長手方向を横断する方向に設けられた平行な複数の第２の凸部とを備え、前記第１の凸部は、土踏まずの部位に相当する前記インソール本体の裏面に設けられ、前記第２の凸部は、前記土踏まず用刺激部材の上面全体に亘って設けられ、着用者の土踏まずの位置に対応して、隣接する前記第１の凸部と前記第１の凸部との間の凹部に前記第２の凸部を挿入して、前記土踏まず用刺激部材を前記インソール本体に係止させるものである。
【０００７】
また、請求項３記載のインソールは、請求項１又は請求項２記載のインソールにおいて、インソール本体及び土踏まず用刺激部材が粘着ポリウレタンで形成され、前記インソール本体の足が当接する面にフィルムが付着しているものである。
【０００８】
また、請求項４記載のインソールは、柔軟なインソール本体と、このインソール本体の裏面であって、前記インソール本体の長手方向を横断する方向に設けられた平行な複数の第１の凸部と、中足骨を刺激する柔軟な中足骨用刺激部材と、この中足骨用刺激部材の上面であって、前記中足骨用刺激部材の長手方向を横断する方向に設けられた平行な複数の第２の中足骨用凸部とを備え、前記第１の凸部は、前記インソール本体の裏面全体に亘って設けられ、前記第２の中足骨用凸部は、前記中足骨用刺激部材の上面全体に亘って設けられ、着用者の中足骨の位置に対応して、隣接する前記第１の凸部と前記第１の凸部との間の凹部に前記第２の中足骨用凸部を挿入して、前記中足骨用刺激部材を前記インソール本体に係止させるものである。
【０００９】
また、請求項５記載のインソールは、柔軟なインソール本体と、このインソール本体の裏面であって、前記インソール本体の長手方向を横断する方向に設けられた平行な複数の第１の凸部と、中足骨を刺激する凸形状の柔軟な中足骨用刺激部材と、この中足骨用刺激部材の上面であって、前記中足骨用刺激部材の長手方向を横断する方向に設けられた平行な複数の第２の中足骨用凸部とを備え、前記第１の凸部は、中足骨の部位に相当する前記インソール本体の裏面に設けられ、前記第２の中足骨用凸部は、前記中足骨用刺激部材の上面全体に亘って設けられ、着用者の中足骨の位置に対応して、隣接する前記第１の凸部と前記第１の凸部との間の凹部に前記第２の中足骨用凸部を挿入して、前記中足骨用刺激部材を前記インソール本体に係止させるものである。
【００１０】
また、請求項６記載のインソールは、請求項４又は請求項５記載のインソールにおいて、インソール本体及び中足骨用刺激部材が粘着ポリウレタンで形成され、前記インソール本体の足が当接する面にフィルムが付着しているものである。
【考案の効果】
【００１１】
請求項１記載のインソールによれば、着用者の土踏まずの位置に対応して、隣接する第１の凸部と第１の凸部との間の凹部に第２の凸部を挿入して、柔軟な土踏まず用刺激部材を柔軟なインソール本体に係止させるため、つまり、着用者の土踏まずの部位に対応して位置調整をすることができるため、着用者の土踏まずの部位を刺激することができるようにして、使用勝手を向上させたインソールを提供することができ、土踏まず用刺激部材をインソール本体の裏面に設け、土踏まずの位置に対応するインソール本体の部位を盛り上げて土踏まずを刺激するため、土踏まず用刺激部材が直接足等に当接しない分、土踏まず用刺激部材がめくれ等せず、土踏まず用刺激部材の耐久性を向上させることができる。
【００１２】
また、請求項２記載のインソールによれば、着用者の土踏まずの位置に対応して、隣接する第１の凸部と第１の凸部との間の凹部に第２の凸部を挿入して、柔軟な土踏まず用刺激部材を柔軟なインソール本体に係止させるため、つまり、着用者の土踏まずの部位に対応して位置調整をすることができるため、着用者の土踏まずの部位を刺激することができるようにして、使用勝手を向上させたインソールを提供することができ、土踏まず用刺激部材をインソール本体の裏面に設け、土踏まずの位置に対応するインソール本体の部位を盛り上げて土踏まずを刺激するため、土踏まず用刺激部材が直接足等に当接しない分、土踏まず用刺激部材がめくれ等せず、土踏まず用刺激部材の耐久性を向上させることができる。
【００１３】
また、請求項４記載のインソールによれば、着用者の中足骨の位置に対応して、隣接する第１の凸部と第１の凸部との間の凹部に第２の中足骨用凸部を挿入して、柔軟な中足骨用刺激部材を柔軟なインソール本体に係止させるため、つまり、着用者の中足骨の部位に対応して位置調整をすることができ、着用者の中足骨の部位を刺激することができるようにして、使用勝手を向上させたインソールを提供することができ、中足骨用刺激部材をインソール本体の裏面に設け、中足骨の位置に対応するインソール本体の部位を盛り上げて中足骨を刺激するため、中足骨用刺激部材が直接足等に当接しない分、中足骨用刺激部材がめくれ等せず、中足骨用刺激部材の耐久性を向上させることができる。
【００１４】
また、請求項５記載のインソールによれば、着用者の中足骨の位置に対応して、隣接する第１の凸部と第１の凸部との間の凹部に第２の中足骨用凸部を挿入して、柔軟な中足骨用刺激部材を柔軟なインソール本体に係止させるため、つまり、着用者の中足骨の部位に対応して位置調整をすることができ、着用者の中足骨の部位を刺激することができるようにして、使用勝手を向上させたインソールを提供することができ、中足骨用刺激部材をインソール本体の裏面に設け、中足骨の位置に対応するインソール本体の部位を盛り上げて中足骨を刺激するため、中足骨用刺激部材が直接足等に当接しない分、中足骨用刺激部材がめくれ等せず、中足骨用刺激部材の耐久性を向上させることができる。
【図面の簡単な説明】
【００１５】
【図１】図１は、本考案の一実施例のインソールを分解して示す概略的平面図である。
【図２】図２は、図１の概略的側面図である。
【図３】図３は、図２の一部を拡大して示す概略的断面図である。
【図４】図４は、図１のインソールと異なる他の実施例のインソールを分解して示す概略的平面図である。
【図５】図５は、図４の概略的側面図である。
【考案を実施するための形態】
【００１６】
本考案の一実施例のインソールを図面を参照して説明する（図１乃至図５参照）。
図１に示す１はインソールで、インソール１は、足裏を刺激して疲れを取ったりすることなどを目的として、靴の中に敷く中底で、柔軟なインソール本体を有している。
インソール本体１０は、例えば、合成樹脂、望ましくは、粘着ポリウレタンで形成されている。インソール本体１０を粘着ポリウレタンで形成した場合、インソール本体１０の足が当接する面１０Ａにフィルム（図示せず）を付着させるようにする。なお、１０Ａが足に当接する部位である。
【００１７】
２０は着用者の足の土踏まずを刺激する柔軟な土踏まず用刺激部材で、３０は着用者の足の中足骨を刺激する柔軟な中足骨用刺激部材である。
土踏まず用刺激部材２０及び中足骨用刺激部材３０は、例えば、合成樹脂、望ましくは、粘着ポリウレタンで形成されている。
本考案の実施例のインソール１の土踏まず用刺激部材２０及び中足骨用刺激部材３０の位置は、着用者の足の土踏まず及び中足骨の位置に合わせることができる。
即ち、インソール１の土踏まず用刺激部材２０及び中足骨用刺激部材３０は、図１乃至図３に示すように、インソール本体１０とは、別体になっている。
【００１８】
また、図２及び図３に示す１０’は、インソール本体１０の裏面であって、インソール本体１０の長手方向を横断する方向に設けられた平行な複数の第１の凸部である。この第１の凸部１０’は、インソール本体１０の裏面全体に亘って設けられている。なお、図１において、第１の凸部１０’が図示されているのは、インソール本体１０が透明な素材で形成されているためである。
また、図２に示す１１’は、土踏まず用刺激部材２０の上面であって、土踏まず用刺激部材２０の長手方向を横断する方向に設けられた平行な複数の第２の凸部である。この第２の凸部１１’は、土踏まず用刺激部材２０の上面全体に亘って設けられている。
そして、着用者の土踏まずの位置に対応して、隣接する第１の凸部１０’と第１の凸部１０’との間の凹部Ｘに第２の凸部１１’を挿入して、柔軟な土踏まず用刺激部材２０を柔軟なインソール本体１０に係止させるようにしてある。
【００１９】
従って、上述したインソール１によれば、着用者の土踏まずの位置に対応して、隣接する第１の凸部１０’と第１の凸部１０’との間の凹部Ｘに第２の凸部１１’を挿入して、柔軟な土踏まず用刺激部材２０を柔軟なインソール本体１０に係止させるため、つまり、着用者の土踏まずの部位に対応して位置調整をすることができ、着用者の土踏まずの部位を刺激することができるようにして、使用勝手を向上させたインソール１を提供することができ、土踏まず用刺激部材２０をインソール本体１０の裏面に設け、土踏まずの位置に対応するインソール本体１０の部位を盛り上げて土踏まずを刺激するため、土踏まず用刺激部材２０が直接足等に当接しない分、土踏まず用刺激部材２０がめくれ等せず、土踏まず用刺激部材２０の耐久性を向上させることができる。
【００２０】
また、図２に示す１２’は、中足骨用刺激部材３０の上面であって、中足骨用刺激部材３０の長手方向を横断する方向に設けられた平行な複数の第２の中足骨用凸部である。この第２の中足骨用凸部１２’は、中足骨用刺激部材３０の上面全体に亘って設けられている。
そして、着用者Ｘの中足骨の位置に対応して、隣接する第１の凸部１０’と第１の凸部１０’との間の凹部に第２の中足骨用凸部１２’を挿入して、柔軟な中足骨用刺激部材３０をインソール本体１０に係止させるようにしてある（図３参照）。
【００２１】
従って、上述したインソール１によれば、着用者の中足骨の位置に対応して、隣接する第１の凸部１０’と第１の凸部１０’との間の凹部Ｘに第２の中足骨用凸部１２’を挿入して、柔軟な中足骨用刺激部材３０を柔軟なインソール本体１０に係止させるため、つまり、着用者の中足骨の部位に対応して位置調整をすることができ、着用者の中足骨の部位を刺激することができるようにして、使用勝手を向上させたインソール１を提供することができ、中足骨用刺激部材３０をインソール本体１０の裏面に設け、中足骨の位置に対応するインソール本体１０の部位を盛り上げて中足骨を刺激するため、中足骨用刺激部材３０が直接足等に当接しない分、中足骨用刺激部材３０がめくれ等せず、中足骨用刺激部材３０の耐久性を向上させることができる。
【００２２】
なお、上述した図１乃至図３記載の実施例のインソール１の第１の凸部１０’は、インソール本体１０の裏面全体に亘って設けられているが、本願考案にあっては、これに限らず、第１の凸部１０’は、土踏まずの部位又は中足骨の部位に相当するインソール本体１０の裏面に設けられるようにしても良い（図４及び図５参照）。
第１の凸部１０’は、土踏まずの部位に相当するインソール本体１０の裏面に設けられても良いし、また、第１の凸部１０’は、中足骨の部位に相当するインソール本体１０の裏面に設けられるようにしても良い。
この図４及び図５記載の実施例のインソール１においても、上述した図１乃至図３記載の実施例のインソール１と同様な効果を有する。
なお、図４及び図５に示す実施例においては、上述の実施例（図１乃至図３）と同一部分に同一符号を付して、その説明を省略する。
【符号の説明】
【００２３】
１      インソール
１０    インソール本体
１０’  第１の凸部
１１’  第２の凸部
２０    土踏まず用刺激部材
Ｘ      凹部
【図１】
0003197772.tif 000003
【図２】
0003197772.tif 000004
【図３】
0003197772.tif 000005
【図４】
0003197772.tif 000006
【図５】
0003197772.tif 000007